(57)【要約】【課題】  建物の出隅部において内壁パネルを軸組等の建物躯体に固定し、且つ固定後の仕上がり状態に応じて内壁パネルの位置を微調整することを可能とする手段を提供する。【解決手段】  本出隅部用内壁パネル固定金具１０は、コーナー添柱６と一方の軸組２の間隙４に挿入される差し込み片２４と、該差し込み片２４を中心に約９０°回転することによりコーナー添柱６と他方の軸組３の間隙５に嵌着される嵌着片２５と、を一端部に具備し且つ他方の軸組３の幅より長い金具本体１２の他端部に、一方の軸組２に内壁パネル８の断熱材８５側の端部を密着離反するように内壁パネル８の内壁枠８２を一方の軸組２方向に押引する取付部材１４を設けたものである。【選択図】  図１
2006070497.tif 000002
【特許請求の範囲】
【請求項１】
コーナー添柱と、該コーナー添柱と間隙を開けて互いに直交するように配設された一対の軸組とからなる建物の出隅部に、矩形に枠組みされた内壁枠に断熱材が取り付けられてなる内壁パネルの一端側を固定する出隅部用内壁パネル固定金具であって、
前記コーナー添柱と一方の軸組の間隙に挿入される差し込み片と、該差し込み片を中心に約９０°回転することにより前記コーナー添柱と他方の軸組の間隙に嵌着される嵌着片と、を一端部に具備し且つ前記他方の軸組の幅より長い金具本体の他端部に、前記一方の軸組に前記内壁パネルの断熱材側の端部を密着離反するように前記内壁パネルの内壁枠を前記一方の軸組方向に押引する取付部材を設けたことを特徴とする出隅部用内壁パネル固定金具。
【請求項２】
前記取付部材は、前記内壁パネルの内壁枠を挟持するものであることを特徴とする請求項１に記載の出隅部用内壁パネル固定金具。
【請求項３】
コーナー添柱と、該コーナー添柱と間隙を開けて互いに直交するように配設された一対の軸組とからなる建物の出隅部に、矩形に枠組みされた内壁枠に断熱材が取り付けられてなる内壁パネルの一端側を固定する出隅部における内壁パネルの固定構造であって、
前記軸組の幅より長い金具本体を有する出隅部用内壁パネル固定金具が、前記金具本体の一端部に具備する差し込み片を前記コーナー添柱と一方の軸組の間隙に差し込むとともに、該差し込み片を中心に約９０°回転することにより前記金具本体の一端部に具備する嵌着片を前記コーナー添柱と他方の軸組の間隙に嵌着させて出隅部に配置され、前記内壁パネルが、前記金具本体の他端部に設けられた取付部材によって前記内壁枠を前記一方の軸組方向に押引されることにより、その断熱材側の端部を前記一方の軸組に密着離反するように設けられたことを特徴とする出隅部における内壁パネルの固定構造。
【請求項４】
前記内壁パネルの内壁枠が、前記取付部材によって挟持されたことを特徴とする請求項３に記載の出隅部における内壁パネルの固定構造。
【発明の詳細な説明】
【技術分野】
【０００１】
本発明は、住宅等の建物の出隅部において内壁パネルを建物の躯体に固定する出隅部用内壁パネル固定金具に関し、特に、固定後の仕上がり状態に応じて内壁パネルの位置を微調整することが可能な出隅部用内壁パネル固定金具に関する。
【背景技術】
【０００２】
従来、住宅等の建物における内壁部は、所定の間隔毎に設けられた複数の軸組の間に、内壁パネルを順次取り付けることで構成される。この内壁パネルの軸組への取り付けは、内壁パネルの両端部を固定金具を用いて軸組にそれぞれ固定することにより行うのが一般的である。しかし、隣接する内壁パネルが直交するように突き合わされる建物の出隅部においては、前記固定金具を設置するための十分なスペースがないため固定金具を用いることができない。従って、出隅部では、直交する内壁パネルの端部同士が釘打ち等により互いに固定されているだけで、軸組には固定されていないのが現状である。図１３は、従来例に係る建物の出隅部７０の構造を示す概略斜視図である（特許文献１参照）。図に示すように、出隅部７０は、互いに直交するように配設された一対の軸組７１，７２と、該各軸組７１，７２の端部に添うように立設されたリップ山形鋼からなるコーナー添柱７３と、各軸組７１，７２の屋内側に互いに直交するように建て込まれた一対の内壁パネル７４，７５と、各内壁パネル７４，７５同士を固定する出隅部用内壁パネル固定金具７６と、を具備している。
【０００３】
前記一対の軸組７１，７２は、図に詳細は示さないが、リップ溝形鋼からなる左右一対の軸柱７７と、該軸柱７７に直交する上下一対の軸桟とが略矩形に枠組みされ、その内部に、補強のための中柱や中桟やＸ字状の耐力ブレース等が設けられてなるものである。このように構成される一対の軸組７１，７２が、図１３に示すように、コーナー添柱７３と所定間隔の間隙７８，７９を開けてそれぞれ配置され、軸柱７７とコーナー添柱７３とが図示しないボルト等により固定されている。
【０００４】
前記内壁パネル７４，７５は、図１４に示すように、左右一対の縦桟８０の間に複数の横桟８１が架設されることで矩形に枠組みされた内壁枠８２と、該内壁枠８２の縦桟８０及び横桟８１によって囲まれる空間８３に充填された合成樹脂断熱材８４と、内壁枠８２の屋外側面を覆うようにして設けられた易変形断熱材８５と、内壁枠８２の屋内側面全体に貼設された防湿シート８６と、を具備してなるものである。
【０００５】
内壁枠８２を構成する縦桟８０及び横桟８１は、木製の角材からなり、図１３に示すように、縦桟８０には、その屋外側面と側端面とが交差して形成される隅部に切欠き８７が形成されている。この切欠き８７は、図に詳細は示さないが、内壁パネル７４，７５を軸組に固定するための内壁パネル固定金具を配設するために設けられている。すなわち、図に詳細は示さないが、内壁パネル７４，７５における出隅部７０と逆側の端部では、相隣接する内壁パネルの切欠き８７が向かい合うことで空隙が形成され、該空隙の内部に内壁パネル固定金具を収容するようにして配設するものとなっている。
【０００６】
合成樹脂断熱材８４は、ポリスチレン、フェノール樹脂等の合成樹脂の発泡体からなるものであり、一般的に断熱材として用いられるグラスウールやロックウール等より高い断熱性能を有する一方、押圧による変形はグラスウール等ほど大きくなく、柔軟性は劣る。この合成樹脂断熱材８４は、図１４に示すように、前記内壁枠８２の縦桟８０及び横桟８１によって囲まれる空間８３と略等しい大きさの矩形に裁断され、その厚みは内壁枠８２と同程度である。この合成樹脂断熱材８４が、前記空間８３に嵌め込まれ、内壁枠８２に両面テープ等により固定されている。
【０００７】
易変形断熱材８５は、例えばグラスウール、ロックウール等の繊維状のものであり、押圧を受けることにより容易に変形可能なものである。この易変形断熱材８５は、予め、内壁枠８２に合わせて適度な大きさに裁断され、繊維が解けたりしないように袋体に詰められている。易変形断熱材８５の大きさは、内壁枠８２と同程度であって、縦桟８０間に納まる程度のものであり、厚みは内壁枠８２の厚みより大きいものが好ましい。このように構成される易変形断熱材８５が、図１４に示すように、タッカー８８を用いて横桟８１に固定されている。
【０００８】
このように構成される一対の内壁パネル７４，７５が、図１３に示すように、互いに直交するように突き合わされ、一方の内壁パネル７４が、その縦桟８０を各軸柱７７により形成されるコーナー部８９を占有するようにして建て込まれ（以下、「勝ち側内壁パネル」という）、他方の内壁パネル７５が、その縦桟８０を勝ち側内壁パネル７４の屋内側面に当接させるようにして建て込まれている（以下、「負け側内壁パネル」という）。
【０００９】
前記出隅部用内壁パネル固定金具７６は、図１３に示すように横断面が略Ｌ字形状であって、内壁パネル７４，７５の高さと略等しい長さを有するものである。この出隅部用内壁パネル固定金具７６が、各内壁パネル７４，７５の屋内側面が交差して形成される隅部９０に沿わせるようにして配置され、勝ち側内壁パネル７４の横桟８１及び負け側内壁パネル７５の縦桟８０に対して、釘９１を打ち込むことによって固定されている。これにより、勝ち側内壁パネル７４と負け側内壁パネル７５は、その出隅側端部同士が出隅部用内壁パネル固定金具７６を介して互いに固定されている。
【００１０】
【特許文献１】特開平１０−２５２１８８号公報
【発明の開示】
【発明が解決しようとする課題】
【００１１】
しかし、従来の出隅部用内壁パネル固定金具７６によれば、勝ち側内壁パネル７４が内壁枠８２を軸組７１に当接させた状態で、且つ、負け側内壁パネル７５が内壁枠８２を勝ち側内壁パネル７４に当接させた状態でそれぞれ固定されるため、各内壁パネル７４，７５の仕上がり状態、例えば、各内壁パネル７４，７５の垂直な立ち具合を表す「建ち」や、各内壁パネル７４，７５の垂直な交差度合いを表す「矩」は、主として軸組７１の寸法精度や取付精度等に依存するものとなっている。従って、出隅部７０の施工後に建ちや矩を確認した結果、予め定められた基準値以内に入っていない場合、この誤差を修正すべく内壁パネル７４，７５の位置を微調整する手段としては、内壁枠８２と軸組７１の間に図示しない木片を挟んだり、内壁枠８２を削る方法等が用いられている。しかし、このような調整作業は施工能率を低下させ、また、高い精度を出すには作業者の熟練が必要とされる、という問題がある。また、各内壁パネル７４，７５をより確実に固定するためには、その内壁枠８２を軸組７１，７２等の建物躯体に固定する手段が必要とされる。
【００１２】
本発明は、このような問題に鑑みてなされたものであり、建物の出隅部において内壁パネルを軸組等の建物躯体に固定し、且つ、固定後の仕上がり状態に応じて内壁パネルの位置を微調整することが可能な出隅部用内壁パネル固定金具を提供する。
【課題を解決するための手段】
【００１３】
上記目的を達成するための請求項１の発明は、コーナー添柱と、該コーナー添柱と間隙を開けて互いに直交するように配設された一対の軸組とからなる建物の出隅部に、矩形に枠組みされた内壁枠に断熱材が取り付けられてなる内壁パネルの一端側を固定する出隅部用内壁パネル固定金具であって、前記コーナー添柱と一方の軸組の間隙に挿入される差し込み片と、該差し込み片を中心に約９０°回転することにより前記コーナー添柱と他方の軸組の間隙に嵌着される嵌着片と、を一端部に具備し且つ前記他方の軸組の幅より長い金具本体の他端部に、前記一方の軸組に前記内壁パネルの断熱材側の端部を密着離反するように前記内壁パネルの内壁枠を前記一方の軸組方向に押引する取付部材を設けたものである。
【００１４】
請求項２の発明は、前記取付部材は、前記内壁パネルの内壁枠を挟持するものである。
【００１５】
請求項３の発明は、コーナー添柱と、該コーナー添柱と間隙を開けて互いに直交するように配設された一対の軸組とからなる建物の出隅部に、矩形に枠組みされた内壁枠に断熱材が取り付けられてなる内壁パネルの一端側を固定する出隅部における内壁パネルの固定構造であって、前記軸組の幅より長い金具本体を有する出隅部用内壁パネル固定金具が、前記金具本体の一端部に具備する差し込み片を前記コーナー添柱と一方の軸組の間隙に差し込むとともに、該差し込み片を中心に約９０°回転することにより前記金具本体の一端部に具備する嵌着片を前記コーナー添柱と他方の軸組の間隙に嵌着させて出隅部に配置され、前記内壁パネルが、前記金具本体の他端部に設けられた取付部材によって前記内壁枠を前記一方の軸組方向に押引されることにより、その断熱材側の端部を前記一方の軸組に密着離反するように設けられたものである。
【００１６】
請求項４の発明は、前記内壁パネルの内壁枠が、前記取付部材によって挟持されたものである。
【発明の効果】
【００１７】
本発明の請求項１に係る発明によれば、コーナー添柱と、該コーナー添柱と間隙を開けて互いに直交するように配設された一対の軸組とからなる建物の出隅部に、矩形に枠組みされた内壁枠に断熱材が取り付けられてなる内壁パネルの一端側を固定する出隅部用内壁パネル固定金具であって、コーナー添柱と一方の軸組の間隙に挿入される差し込み片と、該差し込み片を中心に約９０°回転することによりコーナー添柱と他方の軸組の間隙に嵌着される嵌着片と、を一端部に具備し且つ他方の軸組の幅より長い金具本体の他端部に、一方の軸組に内壁パネルの断熱材側の端部を密着離反するように内壁パネルの内壁枠を一方の軸組方向に押引する取付部材を設けたので、
出隅部において、内壁パネルの一端側を軸組及びコーナー添柱に固定することができ、内壁パネルのより確実な取り付けが可能となる。すなわち、軸組に出隅部用内壁パネル固定金具を、その差し込み片を一方の軸組とコーナー添柱の間隙に差し込んで配置し、該差し込み片を中心に金具本体を９０°回転させることにより、差し込み片が間隙内に挟持されるとともに、嵌着片が他方の軸組とコーナー添柱の間隙に嵌着される。この状態において、内壁パネルを、その内壁枠の屋内側面を取付部材に当接させて建て込み、ビス固定する。これにより、内壁パネルの一端側を出隅部用内壁パネル固定金具を介して軸組及びコーナー添柱に固定することができる。また、内壁パネルの固定後に、その仕上がり状態に応じて、前記取付部材で内壁パネルの内壁枠を押引することにより、内壁パネルの位置を屋内側から容易に調整することができる。これにより、内壁パネルの高い精度の仕上がりを達成することができる。
【００１８】
また、本発明の請求項２に係る発明によれば、取付部材は、内壁パネルの内壁枠を挟持するものなので、内壁パネルを取付部材でより確実に支持することができる。
【００１９】
また、本発明の請求項３に係る発明によれば、コーナー添柱と、該コーナー添柱と間隙を開けて互いに直交するように配設された一対の軸組とからなる建物の出隅部に、矩形に枠組みされた内壁枠に断熱材が取り付けられてなる内壁パネルの一端側を固定する出隅部における内壁パネルの固定構造であって、軸組の幅より長い金具本体を有する出隅部用内壁パネル固定金具が、金具本体の一端部に具備する差し込み片をコーナー添柱と一方の軸組の間隙に差し込むとともに、該差し込み片を中心に約９０°回転することにより金具本体の一端部に具備する嵌着片をコーナー添柱と他方の軸組の間隙に嵌着させて出隅部に配置され、内壁パネルが、金具本体の他端部に設けられた取付部材によって内壁枠を一方の軸組方向に押引されることにより、その断熱材側の端部を一方の軸組に密着離反するように設けられたので、出隅部において、内壁パネルの一端側を軸組及びコーナー添柱に固定することができ、内壁パネルのより確実な取り付けが可能となる。また、内壁パネルの固定後に、その仕上がり状態に応じて、内壁パネルの位置を屋内側から容易に調整することができる。これにより、内壁パネルの高い精度の仕上がりを達成することができる。
【００２０】
また、本発明の請求項４に係る発明によれば、内壁パネルの内壁枠が、取付部材によって挟持されたので、内壁パネルを取付部材でより確実に支持することができる。
【実施例】
【００２１】
以下、本発明の第１実施例に係る出隅部用内壁パネル固定金具、及び建物の出隅部における内壁パネルの固定構造について図面に基づいて説明する。図１に示すように、本実施例に係る出隅部１は、互いに直交するように配設された一対の軸組２，３、及び該各軸組２，３と間隙４，５を開けて立設されたコーナー添柱６から構成される建物躯体７と、該建物躯体７の屋内側に互いに直交するように建て込まれ木製の内壁枠を有する勝ち側内壁パネル８及び負け側内壁パネル９と、勝ち側内壁パネル８を建物躯体７に固定する出隅部用内壁パネル固定金具１０と、負け側内壁パネル９を勝ち側内壁パネル８に固定するＬ型金具１１とを備えてなるものである。尚、軸組２，３、コーナー添柱６、勝ち側内壁パネル８、及び負け側内壁パネル９は、従来例に係る出隅部７０における軸組７１，７２、コーナー添柱７３、勝ち側内壁パネル７４、及び負け側内壁パネル７５と同じ構成であり、また、Ｌ型金具１１は前記出隅部用内壁パネル固定金具７６と同じ構成である。従って、これらを構成する各部材については従来例と同じ符号を付し、ここでは説明を省略する。
【００２２】
前記出隅部用内壁パネル固定金具１０は、図２及び図３に示すように、軸組３の幅より長い金具本体１２と、該金具本体１２によって回転可能に支持された調整ボルト１３と、一端側が該調整ボルト１３に螺合され他端側が勝ち側内壁パネル８の屋内側面に固定される取付部材１４と、を具備してなるものである。
【００２３】
金具本体１２は、略矩形の鋼板を曲折して形成したものであり、図３に示すように、断面Ｌ字形状を有するＬ字型部１５と、該Ｌ字型部１５の先端から断面コの字形状に延出されたコの字型部１６とから構成されている。
【００２４】
Ｌ字型部１５は、図３に示すように、前記調整ボルト１３を挿通させるための挿通孔１７が形成された挿通部１８と、該挿通部１８の一端側から該挿通部１８と９０°の角度をなして延びる軸組当接部１９と、を有している。
【００２５】
コの字型部１６は、図３に示すように、前記軸組当接部１９における挿通部１８と逆側の端部から軸組当接部１９と９０°の角度をなして挿通部１８と逆側へ延びる下水平部２０と、該下水平部２０における軸組当接部１９と逆側の端部から下水平部２０と９０°の角度をなして軸組当接部１９と逆側へ延びる垂直部２１と、該垂直部２１における下水平部２０と逆側の端部から垂直部２１と９０°の角度をなして下水平部２０と同じ側へ延びる上水平部２２と、垂直部２１の左側部に突設された殴打片２３と、上水平部２２の右側部に突設された差し込み片２４と、上水平部２２における垂直部２１と逆側の端部から断面への字形状に延出された嵌着片２５と、を有している。
【００２６】
殴打片２３は、出隅部用内壁パネル固定金具１０を建物躯体７に固定させるべくハンマーで叩く箇所として設けたものである。この殴打片２３は、図３に示すように、垂直部２１の左側端縁から側方へ突出して設けられ、その先端部が斜め下方へ若干曲折されている。この殴打片２３の先端部をハンマーで垂直に叩くことにより、出隅部用内壁パネル固定金具１０に対して斜め下方へ力を加え、該出隅部用内壁パネル固定金具１０を回転させることが可能となっている。
【００２７】
差し込み片２４は、図１に示すように、軸組２とコーナー添柱６の間隙４に差し込まれて挟持されることにより、出隅部用内壁パネル固定金具１０を建物躯体７に固定するものであり、図３に示すように、上水平部２２の右側端縁から側方へ突設され、下水平部２０と逆側へ曲折されている。この差し込み片２４は、その厚みＤが前記間隙４の幅より小さく、且つ、その横幅Ｗが間隙４の幅と等しいか若干大きく形成されている。これにより、差し込み片２４を、縦向きの状態、すなわちその厚みＤ方向を間隙４の幅方向に向けた状態で間隙４内へ差し込むことができ、その状態から、差し込み片２４を間隙４内で９０°回転させて横向きの状態、すなわちその横幅Ｗ方向を間隙４の幅方向に向けた状態とすることにより、差し込み片２４が軸組２とコーナー添柱６によって左右両側から挟持されるものとなっている。
【００２８】
嵌着片２５は、図１に示すように、軸組３とコーナー添柱６の間の間隙５に嵌着されることにより、前記差し込み片２４と相まって出隅部用内壁パネル固定金具１０を建物躯体７に固定するものである。この嵌着片２５は、図３に示すように、上水平部２２における垂直部２１と逆側の端部から上水平部２２と鈍角をなして金具本体１２の内側へ向かって延びる第１曲折部２６と、該第１曲折部２６における上水平部２２と逆側の端部から第１曲折部２６と鈍角をなして金具本体１２の外側へ向かって延びる第２曲折部２７と、を有している。この嵌着片２５の曲折幅Ｋ、すなわち、上水平部２２と直交する方向に沿って第１曲折部２６の先端と第２曲折部２７の先端とが離間する距離は、前記間隙５の幅より大きくなっている。従って、図１に示すように、嵌着片２５を間隙５内に狭入させると、嵌着片２５は間隙５の幅に合わせて弾性変形し、元の形状に復帰しようとする力により、第１曲折部２６の先端が軸組３に、第２曲折部２７の先端がコーナー添柱６にそれぞれ押圧される。これにより、嵌着片２５は、間隙５内に嵌着されるものとなっている。尚、本実施例では、嵌着片２５を第１曲折部２６と第２曲折部２７のみから構成しているが、これに限られず、鋼板を複数箇所で折り曲げて、図示しない第３曲折部、第４曲折部等を設けることももちろん可能である。
【００２９】
尚、本実施例では、差し込み片２４を間隙４に差し込み、嵌着片２５を間隙５に嵌着させるべく、差し込み片２４を上水平部２２の右側部に、殴打片２３を垂直部２１の左側部にそれぞれ設けているが、これとは逆に、差し込み片２４を上水平部２２の左側部に、殴打片２３を垂直部２１の右側部にそれぞれ設け、差し込み片２４を間隙５に差し込み、嵌着片２５を間隙４に嵌着させることももちろん可能である。
【００３０】
調整ボルト１３は、図３に示すように、前記金具本体１２の挿通孔１７より大径の頭部２８と、全長に渡ってネジが形成された軸部２９とを具備してなるものである。この軸部２９の先端面には、プラスドライバＰＤを差し込むための十字溝３０が形成されている。このように構成される調整ボルト１３が、図３に示すように、金具本体１２の内側から、挿通部１８の挿通孔１７に対して、その頭部２８を挿通部１８の内側面に当接させるまで挿通され、金具本体１２の外側に突出した軸部２９に、挿通部１８の近傍位置に達するまでナット３１を螺合した上で、該ナット３１を溶接等により軸部２９に固着している。これにより、調整ボルト１３は、金具本体１２によって、周方向に回転可能に且つ軸方向に移動不能に支持されている。尚、本発明において金具本体１２の内側とは、コの字型部１６の開口に面している側を意味し、金具本体１２の外側とはその逆側を意味している。
【００３１】
前記取付部材１４は、図１に示すように、軸組２に勝ち側内壁パネル８の易変形断熱材８５側の端部を密着離反するようにその縦桟８０を軸組２方向に押引するものである。この取付部材１４は、図３に示すように、略矩形の鋼板を曲折して形成され、調整ボルト１３に螺合される螺合部３２と、該螺合部３２の一端部から９０°の角度をなして延びる垂直部３３と、該垂直部３３における螺合部３２と逆側の端部から９０°の角度をなして螺合部３２と逆側に延びる屋内側面当接部３４と、を有している。螺合部３２の裏面には、円筒部材３５が溶接等により固着されており、螺合部３２と円筒部材３５を貫通して、調整ボルト１３を螺合するためのネジ孔３６が形成されている。一方、屋内側面当接部３４には、上下方向に２個のビス孔３７が形成され、勝ち側内壁パネル８を構成する縦桟８０の屋内側面に当接させてビス固定するものとなっている。また、屋内側面当接部３４は、その先端部が裏面側に向けて若干曲折されることにより、勝ち側内壁パネル８との干渉が防止されている。
【００３２】
このように構成される取付部材１４に対して、調整ボルト１３が、螺合部３２の表面側からネジ孔３６に螺合されている。これにより、調整ボルト１３を十字溝３０側から見て右回りに回転させた場合、前述のように調整ボルト１３自体は軸方向への移動が規制されているため、取付部材１４が調整ボルト１３の軸部２９に沿って十字溝３０側へ移動するものとなっている。ここで、調整ボルト１３の軸部２９における取付部材１４の初期位置、すなわち調整ボルト１３を回転させる前の取付部材１４の位置は、勝ち側内壁パネル８の厚み等を考慮して適宜設定する必要がある。より詳細に説明するに、取付部材１４の初期位置が調整ボルト１３の頭部２８に近過ぎると、勝ち側内壁パネル８を建て込んだ後にその縦桟８０に取付部材１４を固定しようとする際に、取付部材１４が勝ち側内壁パネル８と干渉するという問題が生じる。一方、取付部材１４の初期位置が調整ボルト１３の頭部２８から離れ過ぎていると、取付部材１４を勝ち側内壁パネル８の縦桟８０に固定しようとする際に、取付部材１４を調整ボルト１３の軸部２９回りに回転させて、初期位置から屋内側面当接部３４が縦桟８０に当接する位置まで移動させなければならず、作業に手間を要するという問題がある。従って、取付部材１４の初期位置は、勝ち側内壁パネル８と干渉しない範囲で、なるべく調整ボルト１３の頭部２８に近い位置とすることが好適である。尚、本発明において、螺合部３２及び屋内側面当接部３４の表面・裏面とは、出隅部用内壁パネル固定金具１０を建物躯体７に固定した際に、建物躯体７に面する側の面・その逆側の面を意味している。
【００３３】
以下、第１実施例に係る出隅部１の施工手順について説明する。まず、出隅部用内壁パネル固定金具１０の差し込み片２４を軸組２とコーナー添柱６の間隙４に差し込む。すなわち、図４に示すように、出隅部用内壁パネル固定金具１０を、差し込み片２４がその厚みＤ方向を間隙４の幅方向に向けるように、すなわち、コの字型部１６が下向きに開口するように保持し、差し込み片２４を間隙４に差し込む。この時、軸組当接部１９の側端面が軸組３に当接した状態となっている。尚、本実施例では、図５に示すように、差し込み片２４を間隙３に差し込んだ状態では、取付部材１４を上下方向に向けた状態としているが、これに限られず、取付部材１４を調整ボルト１３の回りに任意の角度だけ回転させた状態とすることが可能である。
【００３４】
次に、出隅部用内壁パネル固定金具１０を９０°回転させる。すなわち、図５に示すように、差し込み片２４を間隙４に差し込んだ状態において、殴打片２３の先端を上方からハンマーＨで垂直に殴打する。これにより、出隅部用内壁パネル固定金具１０は、差し込み片２４を中心に反時計廻りに回転し、嵌着片２５が軸組３とコーナー添柱６の間の間隙に狭入される。その後、図６に示すように、出隅部用内壁パネル固定金具１０が９０°回転するまで殴打し続ける。この時、差し込み片２４は、間隙４内で９０°回転することにより、軸組２とコーナー添柱６によって左右両側から挟持されるものとなっている。これにより、出隅部用内壁パネル固定金具１０は、差し込み片２４が間隙４内に挟持されるとともに、嵌着片２５が間隙５内に嵌着されることによって、建物躯体７に固定される。また、出隅部用内壁パネル固定金具１０を９０°回転させた状態において、取付部材１４が、図６に示した状態に限られないのは前記と同様である。その後、図に詳細は示していないが、これと同様にして、建物躯体７に沿って所定間隔ごとに複数の出隅部用内壁パネル固定金具１０を順次取り付ける。
【００３５】
次に、勝ち側内壁パネル８の建て込みを行う。すなわち、図１及び図７に示すように、軸組２と軸組３とにより形成されるコーナー部に、勝ち側内壁パネル８を、その縦桟８０の屋外側面を軸組２の屋内側面に当接させ、且つ、縦桟８０の切欠き８７内に出隅部用内壁パネル固定金具１０のコの字型部１６を収容するようにして配置する。
【００３６】
次に、出隅部用内壁パネル固定金具１０の取付部材１４を勝ち側内壁パネル８に固定する。すなわち、図７に示すように、取付部材１４を調整ボルト１３を中心として右回りに回転させることにより、軸部２９に沿って屋外側へ移動させ、屋内側面当接部３４を縦桟８０の屋内側面に当接させた上でビス３８等により固定する。これにより、勝ち側内壁パネル８は、軸組２に密着して固定される。
【００３７】
次に、勝ち側内壁パネル８の建ちを調整する。すなわち、図に詳細は示さないが、ボード定規等を用いて勝ち側内壁パネル８の建ちを測定し、予め定められた基準値内に入っているかどうかを確認する。建ちの測定結果が基準値内に入っていない場合、これを基準値内に入るよう修正する。勝ち側内壁パネル８を、軸組２に押し当てた位置から屋内側へ出したい場合、図８に示すように、調整ボルト１３の先端面に形成された十字溝３０に、プラスドライバＰＤ等を差し込んで右回りに回転させる。これに伴い、取付部材１４が調整ボルト１３の軸部２９に沿って十字溝３０側に移動し、該取付部材１４に固定された勝ち側内壁パネル８は軸組２から離反して屋内側へ移動するものとなっている。一方、勝ち側内壁パネル８を、軸組２に押し当てた位置から更に屋外側へ入れたい場合、図に詳細は示さないが、勝ち側内壁パネル８を一旦取り外し、縦桟８０の屋外側面を数ミリ程度削った上で、再固定すればよい。
【００３８】
このように、勝ち側内壁パネル８を所望の距離ｄだけ移動させた後に、再びその建ちを測定する。測定結果が基準値内に入っていなければ、勝ち側内壁パネル８の移動と、建ちの測定とを、測定結果が基準値内に入るまで繰り返す。
【００３９】
次に、負け側内壁パネル９を建て込み、勝ち側内壁パネル８に固定する。すなわち、図１に示すように、負け側内壁パネル９を、その縦桟８０を、勝ち側内壁パネル８の屋内側面に当接させ、且つ、縦桟８０の切欠き８７内に取付部材１４の屋内側面当接部３４を収容するようにして配置する。その上で、負け側内壁パネル９の屋内側面と勝ち側内壁パネル８の屋内側面が交差することによって形成される隅部にＬ型金具１１を沿わせるようにして配置し、勝ち側内壁パネル８の図示しない横桟８１と負け側内壁パネル９の縦桟８０に対してビス３８等により固定する。
【００４０】
次に、勝ち側内壁パネル８と負け側内壁パネル９との矩を調整する。すなわち、図に詳細は示さないが、指し金等を用いて勝ち側内壁パネル８と負け側内壁パネル９とが直角に交差しているかどうかを確認し、直角が出ていなければこれを修正する。すなわち、前述と同様に、プラスドライバＰＤ等を用いて調整ボルト１３を右回転または左回転させ、勝ち側内壁パネル８を屋内側または屋外側に移動させる。移動後に矩を再び確認し、直角が出るまで繰り返す。
【００４１】
次に、本発明の第２実施例に係る出隅部用内壁パネル固定金具、及び建物の出隅部における内壁パネルの固定構造について図面に基づいて説明する。図９に示すように、本実施例に係る出隅部４０は、勝ち側内壁パネル４１及び負け側内壁パネル４２を構成する内壁枠４３が鋼材からなる鋼製内壁枠である点、勝ち側内壁パネル４１を軸組２に固定する出隅部用内壁パネル固定金具４４が鋼製内壁枠に対応した構成となっている点、及び負け側内壁パネル４２を勝ち側内壁パネル４１に固定する金具として前記Ｌ型金具１１に替えてＵ型金具４５を用いている点、において第１実施例と相違している。その他の構成は、第１実施例と同様であるため同じ符号を用い、ここでは説明は省略する。
【００４２】
前記勝ち側内壁パネル４１及び負け側内壁パネル４２は、図１２に示すように、左右一対の縦桟４６の間に複数の横桟４７が架設されることで矩形に枠組みされた内壁枠４３と、該内壁枠４３の屋外側面を覆うようにしてスタッド４８で固定された易変形断熱材４９と、内壁枠４３の屋内側面全体に貼設された防湿シート５０と、を具備してなるものあり、本実施例では、内壁枠４３を、縦桟４６及び横桟４７が鋼材からなる鋼製内壁枠として構成している。この縦桟４６は、図９に示すように、横断面が矩形である角鋼の一隅部に、横桟４７を受けるための横桟受け部５１が突設されるとともに、該横桟受け部５１と対角位置にある隅部に、段落ち部５２が形成されてなるものである。一方、横桟４７は、図に詳細は示さないが、鋼板をＳ字型に曲折してなるものであり、その長手方向両端部が、左右の縦桟４６の前記各横桟受け部５１にそれぞれ当接させて配置され、ビス等により固定されている。
【００４３】
前記出隅部用内壁パネル固定金具４４は、図１０に示すように、軸組３の幅より長い金具本体１２と、該金具本体１２によって回転可能に支持された調整ボルト１３と、一端側が調整ボルト１３に螺合され他端側が勝ち側内壁パネル４１を挟持する取付部材５３と、を具備してなり、第１実施例に係る出隅部用内壁パネル固定金具１０と比較して、取付部材５３の構成が異なることを特徴としている。金具本体１２と調整ボルト１３については第１実施例と同じ構成であるので同じ符号を付し、ここでは説明を省略する。
【００４４】
取付部材５３は、図１０に示すように、調整ボルト１３に螺合される螺合部５４と、該螺合部５４の一端部から９０°の角度をなして延びる垂直部５５と、該垂直部５５における螺合部５４と逆側の端部から９０°の角度をなして螺合部５４と逆側に延びる屋外側面当接部５６と、垂直部５５における屋外側面当接部５６から所定距離だけ離間した位置から屋外側面当接部５６と平行して延びる上下一対の屋内側面当接部５７と、を具備してなるものである。螺合部５４の裏面には、前記出隅部用内壁パネル固定金具１０と同様に、円筒部材５８が固着されており、螺合部５４と円筒部材５８を貫通して、調整ボルト１３を螺合するためのネジ孔５９が形成されている。
【００４５】
屋外側面当接部５６は、図９に示すように、勝ち側内壁パネル４１を構成する縦桟４６の屋外側面に当接し、屋内側面当接部５７と共に縦桟４６を挟持するものである。この屋外側面当接部５６は、図１０に示すように、その先端部が外側に向けて若干曲折されることにより、縦桟４６との干渉が防止されている。一方、上下一対の屋内側面当接部５７は、勝ち側内壁パネル４１を構成する縦桟４６の屋内側面に当接するものである。この屋内側面当接部５７と屋外側面当接部５６との垂直部５５方向への離間距離は、縦桟４６の段落ち部５２における厚みと略等しく、また、屋内側面当接部５７の長さは、縦桟４６の段落ち部５２の内部に収容可能な程度としている。これにより、屋内側面当接部５７と屋外側面当接部５６の間に、縦桟４６をその段落ち部５２において挟持することができ、第１実施例の出隅部用内壁パネル固定金具１０と比較して、勝ち側内壁パネル４１をより確実に支持できるものとなっている。また、各屋内側面当接部５７には、図１０に示すように、ビス孔６０がそれぞれ形成されるとともに、屋外側面当接部５６と同様に、その先端部が外側に向かって若干曲折されることにより、勝ち側内壁パネル４１との干渉が防止されている。
【００４６】
前記Ｕ型金具４５は、図１１に示すように、横断面が略Ｕ字形状の挟持部材６１と、該挟持部材６１の一方の側部に突設された補助部材６２とを具備するものである。挟持部材６１の開口幅は、負け側内壁パネル４２を構成する縦桟４６の段落ち部５２における厚みと略等しくなっており、挟持部材６１で縦桟４６をその段落ち部５２において挟持することが可能となっている。また、挟持部材６１の底部及び補助部材６２には、上下方向に２個のビス孔６３がそれぞれ設けられており、図９に示すように、挟持部材６１の底部及び補助部材６２を勝ち側内壁パネル４１の横桟４７に当接させてビス６４で固定するものとなっている。更に、挟持部材６１の一方の側部にも上下方向に２個のビス孔６３が設けられており、該一方の側部を、負け側内壁パネル４２を構成する縦桟４６の段落ち部５２に当接させてビス固定するものとなっている。また、挟持部材６１の他方の側部は、その先端部が外側に向かって若干曲折されることにより、負け側内壁パネル４２との干渉が防止されている。
【００４７】
第２実施例に係る出隅部４０の施工手順については、第１実施例と同様に、出隅部用内壁パネル固定金具４４の建物躯体７への固定作業、勝ち側内壁パネル４１の建て込み作業、勝ち側内壁パネル４１の建ちの調整作業、負け側内壁パネル４２の建て込み作業、勝ち側内壁パネル４１と負け側内壁パネル４２の矩の調整作業、という順に行われるが、出隅部用内壁パネル固定金具４４の建物躯体７への固定作業、勝ち側内壁パネル４１の建ちの調整作業、及び勝ち側内壁パネル４１と負け側内壁パネル４２の矩の調整作業については、第１実施例と同様であるので説明を省略する。
【００４８】
勝ち側内壁パネル４１の建て込みに際しては、図９に示すように、縦桟４６の屋外側面を取付部材５３の屋外側面当接部５６に沿わせるとともに、縦桟４６の段落ち部５２を屋内側面当接部５７に沿わせることにより、縦桟４６を取付部材５３によって挟持させる。その上で、屋内側面当接部５７と段落ち部５２とをビス固定する。ここで、前述のように、内壁枠４３の屋外側面には易変形断熱材４９がスタッド４８により固定されているが、スタッド４８のない箇所を掴んで内壁枠４３から引き離すことにより、易変形断熱材４９と内壁枠４３の間に若干の隙間を開けることができるので、この隙間から屋外側面当接部５６を差し込んで縦桟４６の屋外側面に沿わせればよい。
【００４９】
負け側内壁パネル４２の建て込みに際しては、図９に示すように、まず、Ｕ型金具４５を勝ち側内壁パネル４１の屋内側面に固定する。すなわち、Ｕ型金具４５を、その挟持部材６１の底部と補助部材６２を勝ち側内壁パネル４１の横桟４７に当接させて配置し、ビス固定する。次に、負け側内壁パネル４２をＵ型金具４５に固定する。すなわち、負け側内壁パネル４２を、縦桟４６の段落ち部５２を挟持部材６１の一方の側部に沿わせるとともに、縦桟４６の屋外側面を挟持部材６１の他方の側部に沿わせるようにして配置する。そして、挟持部材６１の一方の側部と段落ち部５２とをビス６４で固定する。挟持部材６１の他方の側部は、前述と同様に、内壁枠４３と易変形断熱材４９の間の隙間から差し込むことにより、縦桟４６の屋外側面に沿わせることができる。
【００５０】
以上述べたように、本発明に係る出隅部用内壁パネル固定金具１０,４４によれば、建物の出隅部１，４０において、内壁パネルを建物躯体７に固定することができ、且つ、固定後の仕上がり状態に応じて、屋内側からの簡単な作業を行うだけで、内壁パネルの位置を微調整することができる。これにより、出隅部１，４０において高い精度の仕上がりを達成することが可能となる。尚、出隅部用内壁パネル固定金具１０,４４は、本実施例では、出隅部１，４０において内壁パネルを建物躯体７に固定するものとして用いているが、内壁パネルに限られず、パネル化された部材をコーナー部に固定し、固定後の位置を微調整するものとして使用することが可能である。
【図面の簡単な説明】
【００５１】
【図１】本発明の第１実施例に係る出隅部１の構造を示す概略平面図。
【図２】出隅部用内壁パネル固定金具１０の構成を示す概略斜視図。
【図３】出隅部用内壁パネル固定金具１０の構成を示す分解斜視図。
【図４】出隅部１の施工手順を説明するための説明図。
【図５】出隅部１の施工手順を説明するための説明図。
【図６】出隅部１の施工手順を説明するための説明図。
【図７】出隅部１の施工手順を説明するための説明図。
【図８】出隅部１の施工手順を説明するための説明図。
【図９】本発明の第２実施例に係る出隅部４０の構造を示す概略平面図。
【図１０】出隅部用内壁パネル固定金具４４の構成を示す概略斜視図。
【図１１】Ｕ型金具４５の構成を示す概略斜視図。
【図１２】内壁パネル４１，４２の構成を示す分解斜視図。
【図１３】従来例に係る出隅部７０の構造を示す概略斜視図。
【図１４】従来例に係る内壁パネル７４，７５の構成を示す分解斜視図。
【符号の説明】
【００５２】
１，４０  出隅部
２，３  軸組
４，５  間隙
６  コーナー添柱
８，４１  勝ち側内壁パネル（内壁パネル）
１０，４４  出隅部用内壁パネル固定金具
１２  金具本体
１４，５３  取付部材
２４  差し込み片
２５  嵌着片
４３，８２  内壁枠
４９，８５  易変形断熱材
【図１】
2006070497.tif 000003
【図２】
2006070497.tif 000004
【図３】
2006070497.tif 000005
【図４】
2006070497.tif 000006
【図５】
2006070497.tif 000007
【図６】
2006070497.tif 000008
【図７】
2006070497.tif 000009
【図８】
2006070497.tif 000010
【図９】
2006070497.tif 000011
【図１０】
2006070497.tif 000012
【図１１】
2006070497.tif 000013
【図１２】
2006070497.tif 000014
【図１３】
2006070497.tif 000015
【図１４】
2006070497.tif 000016